(57)【要約】      （修正有）【課題】電気信号を伝送および変換する時に生じる電磁干渉を除去および抑制するケーブルアダプタを提供する。【解決手段】ケーブルアダプタは、複数のコネクタと、複数のケーブル１２０Ａ〜１５０Ａと、アダプタモジュールとを含む。各コネクタは、対応するケーブルを介してアダプタモジュールに電気接続され、電気信号を伝送および変換する。アダプタモジュールは、回路板１１２と、その上に配置された複数の回路１１２ｄ、１１２ｅおよび複数の磁気ビーズＭ４、Ｍ５とを含み、磁気ビーズをそれぞれ対応する回路に設置して、電気信号を伝送する時に生じる電磁干渉を除去および抑制する。【選択図】図２
0003226105.tif 000002
【実用新案登録請求の範囲】
【請求項１】
複数のコネクタと、
複数のケーブルと、
アダプタモジュールと、
を含み、各前記コネクタが、対応する前記ケーブルを介して前記アダプタモジュールに電気接続され、電気信号を伝送および変換し、前記アダプタモジュールが、回路板と、その上に配置された複数の回路および複数の磁気ビーズを含み、前記磁気ビーズをそれぞれ対応する前記回路に設置して、電磁干渉を除去および抑制するケーブルアダプタ。
【請求項２】
前記磁気ビーズが、前記複数の回路のうちの少なくとも１つの電源回路に設置された請求項１に記載のケーブルアダプタ。
【請求項３】
前記磁気ビーズが、前記複数の回路のうちの少なくとも１つの接地回路に設置された請求項１に記載のケーブルアダプタ。
【請求項４】
前記アダプタモジュールが、さらに、前記回路板の外に設置されたシールドシートを含み、前記シールドシートが、前記接地回路に電気接続された請求項３に記載のケーブルアダプタ。
【請求項５】
前記アダプタモジュールが、さらに、筐体を含み、前記筐体内に前記回路板が設置され、前記筐体の外に前記シールドシートが組み立てられた請求項４に記載のケーブルアダプタ。
【請求項６】
前記シールドシートが、プレートおよび複数の延伸部を含み、前記プレートが、前記筐体の上に設置され、前記延伸部が、それぞれ前記プレートから前記ケーブルに向かって延伸して、前記ケーブルの外に繞設された請求項５に記載のケーブルアダプタ。
【考案の詳細な説明】
【技術分野】
【０００１】
この考案は、コネクタモジュールに関するものであり、特に、ケーブルアダプタに関するものである。
【背景技術】
【０００２】
現在の電子デバイスは、その適用性を向上させるため、アダプタコネクタを介して異なる電子デバイスと電気接続し、電力または信号の伝送を行わなければならないことがよくある。同時に、アダプタコネクタは、構造上、操作便利性を取得して空間延伸性を増やすために、ケーブルを用いて異なる型式のアダプタ間で接続し、その延伸効果を向上させる。
【０００３】
しかしながら、ケーブルについては、電気信号の伝送により電磁干渉（ＥＭＩ）が発生するため、このようなケーブルは、アンテナと同様に、エネルギーを送信して非意図放射器（unintentional radiator）を形成し、さらに、周囲の電子デバイスに影響を与える可能性がある。それに応じて、外界の電磁エネルギーもケーブルに進入するため、電子デバイスの電磁感受性（ＥＭＳ）を下げる。また、ケーブルが長くなるにつれ、生成されるノイズ干渉源も絶えず累積されて増大する。つまり、ノイズ干渉源を抑制する効果も一層悪くなる。特に、信号を伝送する伝送量および伝送速度が増加するにつれ、上述した電磁干渉が発生する状況もさらに深刻になる。
【考案の概要】
【考案が解決しようとする課題】
【０００４】
この考案は、アダプタモジュールに磁気ビーズを設置して、上述した電気信号を伝送および変換する時に生じる電磁干渉を除去および抑制するケーブルアダプタを提供する。
【課題を解決するための手段】
【０００５】
この考案のケーブルアダプタは、複数のコネクタと、複数のケーブルと、アダプタモジュールとを含む。各コネクタは、対応するケーブルを介してアダプタモジュールに電気接続され、電気信号を伝送および変換する。アダプタモジュールは、回路板と、その上に配置された複数の回路および複数の磁気ビーズとを含み、磁気ビーズをそれぞれ対応する回路に設置して、上述した電気信号を伝送および変換する時に生じる電磁干渉を除去および抑制する。
【０００６】
この考案の１つの実施形態において、前記磁気ビーズは、前記複数の回路のうちの少なくとも１つの電源回路に設置される。
【０００７】
この考案の１つの実施形態において、前記磁気ビーズは、前記複数の回路のうちの少なくとも１つの接地回路に設置される。
【０００８】
この考案の１つの実施形態において、前記アダプタモジュールは、さらに、回路板の外に設置されたシールドシートを含み、シールドシートは、前記接地回路に電気接続される。
【０００９】
この考案の１つの実施形態において、前記アダプタモジュールは、さらに、筐体を含み、筐体内に回路板が設置され、筐体の外にシールドシートが組み立てられる。
【００１０】
この考案の１つの実施形態において、前記シールドシートは、プレートおよび複数の延伸部を含み、プレートは、筐体の上に設置され、延伸部は、プレートからケーブルに向かって延伸して、それぞれケーブルの外に繞設される。
【考案の効果】
【００１１】
以上のように、ケーブルアダプタの複数のコネクタは、対応するケーブルを介してアダプタモジュールに電気接続され、電気信号の伝送および転送を行う。ケーブルは、その線材を加工する時の克服できない特性により、電磁干渉が生じやすい。したがって、この考案のケーブルアダプタにおいて、アダプタモジュールは、回路板と、その上に配置された複数の回路および複数の磁気ビーズとで構成され、且つ磁気ビーズをそれぞれ対応する回路に設置して、電気信号を伝送および変換する時に生じる電磁干渉を除去および抑制し、ケーブルアダプタの信号伝送効果を上げる。
【図面の簡単な説明】
【００１２】
【図１】この考案の１つの実施形態に係るケーブルアダプタの概略図である。
【図２】図１のケーブルアダプタの一部の構成要素の概略図である。
【図３Ａ】異なる視角により図２の回路板構造を図示したものである。
【図３Ｂ】異なる視角により図２の回路板構造を図示したものである。
【図４】図２の回路板における回路関係概略図を図示したものである。
【考案を実施するための形態】
【００１３】
図１は、この考案の１つの実施形態に係るケーブルアダプタの概略図である。図１を参照すると、本実施形態において、ケーブルアダプタ１００は、複数のコネクタ１２０Ｂ、１３０Ｂ、１４０Ｂ、および１５０Ｂと、複数のケーブル１２０Ａ、１３０Ａ、１４０Ａ、および１５０Ａと、アダプタモジュール１１０とを含み、これらのコネクタ１２０Ｂ、１３０Ｂ、１４０Ｂ、および１５０Ｂは、対応するケーブル１２０Ａ、１３０Ａ、１４０Ａ、および１５０Ａを介してアダプタモジュール１１０に電気接続され、電子デバイス（図示せず）の電気信号を、ケーブルアダプタ１００を通して伝送および変換した後、別の電子デバイス（図示せず）に送信する。ここに示したコネクタ１２０Ｂ、１３０Ｂ、１４０Ｂ、および１５０Ｂの類型は、単なる例であり、この考案を限定するものではない。
【００１４】
図２は、図１のケーブルアダプタの一部の構成要素の概略図である。図３Ａおよび図３Ｂは、それぞれ異なる視角により図２の回路板構造を図示したものである。図４は、図２の回路板における回路関係概略図を図示したものである。まず、図３Ａ、図３Ｂ、および図４を参照すると、本実施形態のアダプタモジュール１１０は、回路板１１２と、その上に配置された複数の回路１１２ａ〜１１２ｃおよび複数の磁気ビーズＭ１〜Ｍ５とを含み、磁気ビーズＭ１〜Ｍ５をそれぞれ対応する回路１１２ａ〜１１２ｃに設置して、電気信号を伝送および変換する時に生じる電磁干渉を除去および抑制する。
【００１５】
以下、本実施形態における回路板１１２上の回路１１２ａ〜１１２ｃと磁気ビーズＭ１〜Ｍ５の対応関係について、さらに説明する。図３Ａおよび図３Ｂに示すように、磁気ビーズＭ１〜Ｍ５は、それぞれ回路板１１２の相対する２つの表面Ｓ１、Ｓ２に配置され、回路１１２ａ〜１１２ｃ（同時に図４を参照）との関係は、一部の磁気ビーズＭ１〜Ｍ３が電源回路１１２ａ〜１１２ｃの上に配置されて表面Ｓ２に位置し、一部の磁気ビーズＭ４、Ｍ５が接地回路１１２ｄ、１１２ｅの上に配置されて表面Ｓ１に位置する関係となっている。このようにして、上述した磁気ビーズＭ１〜Ｍ５は、電磁干渉（ＥＭＩ）を円滑に除去および抑制することができる。つまり、図４に示すように、本実施形態は、磁気ビーズＭ１〜Ｍ５を電源回路１１２ａ〜１１２ｃと接地回路１１２ｄ、１１２ｅに配置するだけで、信号回路における信号伝送に直接影響を与えるのを防ぐことができ、同時に、必要なＥＭＩの要求を両立させる。
【００１６】
再度、図２および図４を参照すると、本実施形態において、アダプタモジュール１１０は、さらに、回路板１１２の外に設置されたシールドシート１１４を含み、且つシールドシート１１４は、接地回路１１２ｄ、１１２ｅに電気接続される。さらに詳しく説明すると、アダプタモジュール１１０は、さらに、筐体１１６を含み、筐体１１６内に回路板１１２が設置され、筐体１１６の外にシールドシート１１４が組み立てられる。また、シールドシート１１４は、プレート１１４ａおよび複数の延伸部１１４ｂを含み、プレート１１４ａは、筐体１１６の上に設置され、延伸部１１４ｂは、それぞれプレート１１４ａからケーブル１２０Ａ、１３０Ａ、１４０Ａ、および１５０Ａに向かって延伸して、これらのケーブル１２０Ａ、１３０Ａ、１４０Ａ、および１５０Ａの外表面に繞設され、これにより、ケーブル１２０Ａ、１３０Ａ、１４０Ａ、および１５０Ａ内および回路板１１２上の電気信号に対し、必要な遮蔽効果を提供する。
【００１７】
以上のように、この考案の上記実施形態において、ケーブルアダプタの複数のコネクタは、対応するケーブルを介してアダプタモジュールに電気接続され、電気信号の伝送および転送を行う。ケーブルは、その線材を加工する時の克服できない特性により、電磁干渉が生じやすい。したがって、この考案のケーブルアダプタにおいて、アダプタモジュールは、回路板と、その上に配置された複数の回路および複数の磁気ビーズとで構成され、且つ磁気ビーズをそれぞれ対応する回路に設置して、電気信号を伝送および変換する時に生じる電磁干渉を除去および抑制し、ケーブルアダプタの信号伝送効果を上げる。
【符号の説明】
【００１８】
１００  ケーブルアダプタ
１１０  アダプタモジュール
１１２ａ、１１２ｂ、１１２ｃ、１１２ｄ、１１２ｅ  回路
１１４  シールドシート
１１４ａ  プレート
１１４ｂ  延伸部
１１６  筐体
１２０Ａ、１３０Ａ、１４０Ａ、１５０Ａ  ケーブル
１２０Ｂ、１３０Ｂ、１４０Ｂ、１５０Ｂ  コネクタ
Ｍ１、Ｍ２、Ｍ３、Ｍ４、Ｍ５  磁気ビーズ
Ｓ１、Ｓ２  表面
【図１】
0003226105.tif 000003
【図２】
0003226105.tif 000004
【図３Ａ】
0003226105.tif 000005
【図３Ｂ】
0003226105.tif 000006
【図４】
0003226105.tif 000007